(57)【要約】【課題】一般電話機が接続されるためのＴｉｐ−Ｒｉｎｇラインにおいて、ＡＭ波ラジオノイズが重畳しにくくする、ＡＭ波ノイズ抑制装置を提供する。【解決手段】重畳を抑制させたい特定のＡＭ波ノイズの周波数に対応するためのインピーダンス変換部をＴｉｐ−Ｒｉｎｇラインに設ける。このインピーダンス変換部のインピーダンスが調節されることで、重畳を抑制させるＡＭ波ノイズの周波数が任意に調節される。【選択図】図３
2008236554.tif 000002
【特許請求の範囲】
【請求項１】
電話信号を伝達するＴｉｐ−Ｒｉｎｇラインと、
前記Ｔｉｐ−Ｒｉｎｇラインに接続されて、前記伝達される電話信号への、特定の周波数のＡＭ波ノイズの重畳を抑制するためのインピーダンス変換部と、
前記インピーダンス変換部に接続されて、前記インピーダンス変換部が重畳を抑制するＡＭ波ノイズの周波数を調節する制御部と
を具備する
ＡＭ波ノイズ抑制装置。
【請求項２】
請求項１記載のＡＭ波ノイズ抑制装置において、
前記インピーダンス変換部は、
インダクタンスと、
前記インダクタンスと並列に接続された可変容量と
を具備する
ＡＭ波ノイズ抑制装置。
【請求項３】
請求項２記載のＡＭ波ノイズ抑制装置において、
前記制御部は、
前記可変容量の容量を制御することによって前記重畳を抑制するＡＭ波ノイズの周波数を調節する
ＡＭ波ノイズ抑制装置。
【請求項４】
請求項２または３に記載のＡＭ波ノイズ抑制装置において、
前記可変容量は、
並列に接続された複数の固定容量と、
前記複数の固定容量にそれぞれ直列に接続された前記複数の固定容量と同数のスイッチと
を具備する
ＡＭ波ノイズ抑制装置。
【請求項５】
請求項４記載のＡＭ波ノイズ抑制装置において、
前記制御部は、
前記複数のスイッチに接続されてそれぞれの導通状態を制御する
ＡＭ波ノイズ抑制装置。
【請求項６】
請求項１〜５のいずれかに記載のＡＭ波ノイズ抑制装置を具備し、
前記Ｔｉｐ−Ｒｉｎｇラインを介して一般電話機に接続される
ＶｏＩＰ対応装置の一般電話機インターフェース回路。
【請求項７】
請求項６記載のＶｏＩＰ対応装置の一般電話機インターフェース回路において、
前記Ｔｉｐ−Ｒｉｎｇラインを前記一般電話機に接続するための一般電話機Ｉ／Ｆと、
前記Ｔｉｐ−Ｒｉｎｇラインに接続されて、前記一般電話機に電力を供給する給電部と、
前記Ｔｉｐ−Ｒｉｎｇラインに接続されて、前記一般電話機のループ解放または閉結状態を検出するＬＯＯＰ検出部と、
前記Ｔｉｐ−Ｒｉｎｇラインに接続されて、前記一般電話機に着信音を鳴動させる為のＲｉｎｇ信号を発生するＲｉｎｇ信号発生部と、
前記Ｔｉｐ−Ｒｉｎｇラインに接続されて、前記一般電話機が着信中の場合のループ解放または閉結状態を検出するＲｉｎｇＴｒｉｐ検出部と、
前記Ｔｉｐ−Ｒｉｎｇラインに接続されて、２線式信号と４線式信号とを相互に変換する２線−４線変換部と、
前記２線−４線変換部に接続されて、受話音声のゲインを調節する受話側アンプと、
前記２線−４線変換部に接続されて、送話音声のゲインを調節する送話側アンプと、
前記受話側アンプおよび送話側アンプに接続されて、前記送受話の音声信号と所定の通信ネットワークとの制御を行なう通話制御部と
をさらに具備する
ＶｏＩＰ対応装置の一般電話機インターフェース回路。
【請求項８】
請求項１〜５のいずれかに記載のＡＭ波ノイズ抑制装置を具備し、
前記Ｔｉｐ−Ｒｉｎｇラインを介して局線に接続される
ＰＢＸ（Ｐｒｉｖａｔｅ  Ｂｒａｎｃｈ  ｅＸｃｈａｎｇｅ：構内交換設備）の局線インターフェース。
【請求項９】
請求項８記載のＰＢＸの局線インターフェースにおいて、
前記Ｔｉｐ−Ｒｉｎｇラインを前記局線に接続するための局線Ｉ／Ｆと、
前記Ｔｉｐ−Ｒｉｎｇラインに接続されて、前記局線のループを閉結するＬＯＯＰ閉結部と、
前記Ｔｉｐ−Ｒｉｎｇラインに接続されて、前記局線からのＲｉｎｇ信号を検出するＲｉｎｇ信号検出部と、
前記Ｔｉｐ−Ｒｉｎｇラインに接続されて、２線式信号と４線式信号とを相互に変換する２線−４線変換部と、
前記２線−４線変換部に接続されて、受話音声のゲインを調節する受話側アンプと、
前記２線−４線変換部に接続されて、送話音声のゲインを調節する送話側アンプと、
前記受話側アンプおよび送話側アンプに接続されて、前記送受話の音声信号と所定の通信ネットワークとの制御を行なう通話制御部と
をさらに具備する
ＰＢＸの局線インターフェース。
【請求項１０】
請求項１〜５のいずれかに記載のＡＭ波ノイズ抑制装置を具備し、
前記Ｔｉｐ−Ｒｉｎｇラインを介してＰＳＴＮ（Ｐｕｂｌｉｃ  Ｓｗｉｔｃｈｅｄ  Ｔｅｌｅｐｈｏｎｅ  Ｎｅｔｗｏｒｋ：公衆電話交換回路網）に接続される
ＶｏＩＰ対応装置のＰＳＴＮインターフェース。
【請求項１１】
請求項１〜５のいずれかに記載のＡＭ波ノイズ抑制装置を具備し、
前記Ｔｉｐ−Ｒｉｎｇラインを介して一般電話機に接続される
ＰＢＸの一般電話機インターフェース。
【請求項１２】
請求項１〜５のいずれかに記載のＡＭ波ノイズ抑制装置を具備し、
前記Ｔｉｐ−Ｒｉｎｇラインを介して局線に接続される
一般電話機の局線インターフェース。
【請求項１３】
（ａ）Ｔｉｐ−Ｒｉｎｇラインが伝達する電話信号への、特定の周波数のＡＭ波ノイズの重畳が抑制されることと、
（ｂ）制御部が、インピーダンス変換部のインピーダンス値を調節することと、
（ｃ）前記インピーダンス変換部が、インピーダンス値に応じた周波数のＡＭ波ノイズが前記Ｔｉｐ−Ｒｉｎｇラインに重畳することを抑制することと
を具備する
ＡＭ波ノイズ抑制方法。
【請求項１４】
請求項１３記載のＡＭ波ノイズ抑制方法において、
前記ステップ（ｂ）は、
（ｂ−１）前記制御部が、前記インピーダンス変換部が具備する複数の固定容量のそれぞれに直列に接続された複数のスイッチのそれぞれの導通状態を制御することと、
（ｂ−２）前記インピーダンス変換部の前記インピーダンス値が、前記複数の固定容量のそれぞれにおける導通状態によって変化することと
を具備し、
前記ステップ（ｃ）は、
（ｃ−１）前記重畳が抑制されるＡＭ波ノイズの周波数が、前記インピーダンス変換部のインピーダンス値の変化に対応して変化すること
を具備する
ＡＭ波ノイズ抑制方法。
【発明の詳細な説明】
【技術分野】
【０００１】
本発明は、ＡＭ波ノイズ抑制装置に係り、特に、Ｔｉｐ−Ｒｉｎｇライン上の電話信号に重畳されるＡＭ波のラジオノイズを抑制する装置に関する発明である。
【背景技術】
【０００２】
一般電話機、電話回路網、そしてこれらを中継するＶｏＩＰ対応装置などを相互に接続するＴｉｐ−Ｒｉｎｇラインは、物理的には２本の単なる長い銅線である。したがって、ＡＭ波ラジオのアンテナとして機能してしまう場合がある。具体的には、Ｔｉｐ−Ｒｉｎｇラインが伝達する電話信号に、ＡＭ波ノイズが重畳してしまう場合がある。
ここで、どの周波数のＡＭ波ノイズが最も強く重畳するかは、そのＴｉｐ−Ｒｉｎｇラインが設置されている場所や方向に依存する。
【０００３】
上記に関連して、特許文献１には、ＡＤＳＬ通信用ノイズ除去フィルタの発明が開示されている。
特許文献１発明のＡＤＳＬ通信用ノイズ除去フィルタは、アナログ電話回線併用ＡＤＳＬ通信において、電話回線又はスプリッタとＡＤＳＬモデムとの間の２線間に、ＡＤＳＬ帯域内のＡＭ放送周波数にトラップ周波数を合わせたトラップ回路を設けることを特徴としている。
【０００４】
【特許文献１】特開２００４−６４７１９
【発明の開示】
【発明が解決しようとする課題】
【０００５】
本発明の目的は、一般電話機が接続されるためのＴｉｐ−Ｒｉｎｇラインにおいて、Ｔｉｐ−Ｒｉｎｇ間のインピーダンス変換が行なわれることでＡＭ波ノイズが重畳しにくくなる、ＡＭ波ノイズ抑制装置を提供することにある。
本発明の他の目的は、Ｔｉｐ−Ｒｉｎｇ間のインピーダンス値が調節可能で、したがって重畳しにくくなるＡＭ波ノイズの周波数が調節可能である、ＡＭ波ノイズ抑制装置を提供することにある。
【課題を解決するための手段】
【０００６】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【０００７】
本発明によるＡＭ波ノイズ抑制装置は、Ｔｉｐ−Ｒｉｎｇライン（１４）と、インピーダンス変換部（９）と、制御部（１０）とを具備する。Ｔｉｐ−Ｒｉｎｇライン（１４）は、電話信号を伝達する。インピーダンス変換部（９）は、Ｔｉｐ−Ｒｉｎｇライン（１４）に接続されて、伝達される電話信号への、特定の周波数のＡＭ波ノイズの重畳を抑制する。制御部（１０）は、インピーダンス変換部（９）に接続されて、インピーダンス変換部（９）が重畳を抑制するＡＭ波ノイズの周波数を調節する。
【０００８】
本発明によるＡＭ波ノイズ抑制装置において、インピーダンス変換部（９）は、インダクタンス（Ｌ）と、インダクタンス（Ｌ）と並列に接続された可変容量（Ｃ１〜Ｃｘ）とを具備する。
【０００９】
本発明によるＡＭ波ノイズ抑制装置において、制御部（１０）は、可変容量（Ｃ１〜Ｃｘ）の容量を制御することによって重畳を抑制するＡＭ波ノイズの周波数を調節する。
【００１０】
本発明によるＡＭ波ノイズ抑制装置において、可変容量（Ｃ１〜Ｃｘ）は、並列に接続された複数の固定容量（Ｃ１〜Ｃｘ）と、複数の固定容量（Ｃ１〜Ｃｘ）にそれぞれ直列に接続された複数の固定容量（Ｃ１〜Ｃｘ）と同数のスイッチ（ＲＬ１〜ＲＬｘ）とを具備する。
【００１１】
本発明によるＡＭ波ノイズ抑制装置において、制御部（１０）は、複数のスイッチ（ＲＬ１〜ＲＬｘ）に接続されてそれぞれの導通状態を制御する。
【００１２】
本発明によるＶｏＩＰ対応装置の一般電話機インターフェース回路は、ＡＭ波ノイズ抑制装置を具備し、Ｔｉｐ−Ｒｉｎｇライン（１４）を介して一般電話機に接続される。
【００１３】
本発明によるＶｏＩＰ対応装置の一般電話機インターフェース回路は、一般電話機Ｉ／Ｆ（５）と、給電部（１）と、ＬＯＯＰ検出部（２）と、Ｒｉｎｇ信号発生部（３）と、ＲｉｎｇＴｒｉｐ検出部（４）と、２線−４線変換部（６）と、受話側アンプ（７ｂ）と、送話側アンプ（７ａ）と、通話制御部（１０）とをさらに具備する。一般電話機Ｉ／Ｆ（５）は、Ｔｉｐ−Ｒｉｎｇライン（１４）を前記一般電話機に接続する。給電部（１）は、Ｔｉｐ−Ｒｉｎｇライン（１４）に接続されて、一般電話機に電力を供給する。ＬＯＯＰ検出部（２）は、Ｔｉｐ−Ｒｉｎｇライン（１４）に接続されて、一般電話機のループ解放または閉結状態を検出する。Ｒｉｎｇ信号発生部（３）は、Ｔｉｐ−Ｒｉｎｇライン（１４）に接続されて、一般電話機に着信音を鳴動させる為のＲｉｎｇ信号を発生する。ＲｉｎｇＴｒｉｐ検出部（４）は、Ｔｉｐ−Ｒｉｎｇライン（１４）に接続されて、一般電話機が着信中の場合のループ解放または閉結状態を検出する。２線−４線変換部（６）は、Ｔｉｐ−Ｒｉｎｇライン（１４）に接続されて、２線式信号と４線式信号とを相互に変換する。受話側アンプ（７ｂ）は、２線−４線変換部（６）に接続されて、受話音声のゲインを調節する。送話側アンプ（７ａ）は、２線−４線変換部（６）に接続されて、送話音声のゲインを調節する。通話制御部（１０）は、受話側アンプ（７ｂ）および送話側アンプ（７ａ）に接続されて、送受話の音声信号と所定の通信ネットワークとの制御を行なう。
【００１４】
本発明によるＰＢＸ（Ｐｒｉｖａｔｅ  Ｂｒａｎｃｈ  ｅＸｃｈａｎｇｅ：構内交換設備）の局線インターフェースは、本発明のＡＭ波ノイズ抑制装置を具備し、Ｔｉｐ−Ｒｉｎｇライン（１４）を介して局線に接続される。
【００１５】
本発明によるＰＢＸの局線インターフェースは、局線Ｉ／Ｆと、ＬＯＯＰ閉結部と、Ｒｉｎｇ信号検出部と、２線−４線変換部（６）と、受話側アンプ（７ｂ）と、送話側アンプ（７ａ）と、通話制御部（１０）とをさらに具備する。局線Ｉ／Ｆは、Ｔｉｐ−Ｒｉｎｇライン（１４）を局線に接続する。ＬＯＯＰ閉結部は、Ｔｉｐ−Ｒｉｎｇライン（１４）に接続されて、局線のループを閉結する。Ｒｉｎｇ信号検出部は、Ｔｉｐ−Ｒｉｎｇライン（１４）に接続されて、局線からのＲｉｎｇ信号を検出する。２線−４線変換部（６）は、Ｔｉｐ−Ｒｉｎｇライン（１４）に接続されて、２線式信号と４線式信号とを相互に変換する。受話側アンプ（７ｂ）は、２線−４線変換部（６）に接続されて、受話音声のゲインを調節する。送話側アンプ（７ａ）は、２線−４線変換部（６）に接続されて、送話音声のゲインを調節する。通話制御部（１０）は、受話側アンプ（７ｂ）および送話側アンプ（７ａ）に接続されて、送受話の音声信号と所定の通信ネットワークとの制御を行なう。
【００１６】
本発明によるＶｏＩＰ対応装置のＰＳＴＮ（Ｐｕｂｌｉｃ  Ｓｗｉｔｃｈｅｄ  Ｔｅｌｅｐｈｏｎｅ  Ｎｅｔｗｏｒｋ：公衆電話交換回路網）インターフェースは、本発明によるＡＭ波ノイズ抑制装置を具備し、Ｔｉｐ−Ｒｉｎｇライン（１４）を介してＰＳＴＮに接続される。
【００１７】
本発明によるＰＢＸの一般電話機インターフェースは、本発明によるＡＭ波ノイズ抑制装置を具備し、Ｔｉｐ−Ｒｉｎｇライン（１４）を介して一般電話機に接続される。
【００１８】
本発明による一般電話機の局線インターフェースは、本発明によるＡＭ波ノイズ抑制装置を具備し、Ｔｉｐ−Ｒｉｎｇライン（１４）を介して局線に接続される。
【００１９】
本発明によるＡＭ波ノイズ抑制方法は、（ａ）Ｔｉｐ−Ｒｉｎｇライン（１４）が伝達する電話信号への、特定の周波数のＡＭ波ノイズの重畳が抑制されることと、（ｂ）制御部（１０）が、インピーダンス変換部（９）のインピーダンス値を調節することと、（ｃ）インピーダンス変換部（９）が、インピーダンス値に応じた周波数のＡＭ波ノイズが前記Ｔｉｐ−Ｒｉｎｇライン（１４）に重畳することを抑制することとを具備する。
【００２０】
本発明によるＡＭ波ノイズ抑制方法において、ステップ（ｂ）は、（ｂ−１）制御部（１０）が、インピーダンス変換部（９）が具備する複数の固定容量（Ｃ１〜Ｃｘ）のそれぞれに直列に接続された複数のスイッチ（ＲＬ１〜ＲＬｘ）のそれぞれの導通状態を制御することと、（ｂ−２）インピーダンス変換部（９）のインピーダンス値が、複数の固定容量（Ｃ１〜Ｃｘ）のそれぞれにおける導通状態によって変化することとを具備する。ステップ（ｃ）は、（ｃ−１）重畳が抑制されるＡＭ波ノイズの周波数が、インピーダンス変換部（９）のインピーダンス値の変化に対応して変化することを具備する。
【発明の効果】
【００２１】
本発明のＡＭ波ノイズ抑制装置によれば、一般電話機が接続されるためのＴｉｐ−Ｒｉｎｇラインのインピーダンス値が調整されることで、その電話機が設置される地域に応じて効果的なＡＭ波ラジオノイズの重畳抑制が可能となる。
【発明を実施するための最良の形態】
【００２２】
添付図面を参照して、本発明によるＡＭ波ノイズ対策の方式を実施するための最良の形態を以下に説明する。
【００２３】
（第１の実施形態）
本発明の実施形態を説明するために、まずは一般的なＡＭラジオの仕組みについて簡単に説明する。
図１は、一般的なＡＭラジオの回路図である。一般的なＡＭラジオでは、コイルＬとトリマコンデンサＶＣとが並列に接続されて、同調回路として動作する。コイルＬのインダクタンス値と、トリマコンデンサＶＣの容量値との設定に応じて、同調回路の共振周波数が設定される。ＡＭラジオは、この共振周波数に対応するラジオ放送が受信される。
【００２４】
次に、ＡＭ波ノイズがＴｉｐ−Ｒｉｎｇ線に混入するメカニズムについて説明する。
ＡＭ波ノイズのＴｉｐ−Ｒｉｎｇ線への混入は、図１における一般的なＡＭラジオの場合と同様に、並列に接続されたインダクタンスＬと容量Ｃとの値に対応する共振周波数で発生する。すなわち、この共振周波数に対応するＡＭラジオの放送が、電話の受話音声に混入されて聞こえてしまう。
具体例を挙げると、２５．３ｍＨのインダクタンスと１μＦの容量が並列に接続されると、１０００ｋＨｚのラジオ放送が受信される。ここで容量の値が小さくなると、１０００ｋＨｚよりも周波数の低いラジオ放送が受信される。このとき、１０００ｋＨｚのラジオ放送は、受信されずに聞こえなくなる。
【００２５】
図２は、従来のＶｏＩＰ対応装置のブロック図である。従来のＶｏＩＰ対応装置は、給電部１と、ＬＯＯＰ検出部２と、Ｒｉｎｇ信号発生部３と、ＲｉｎｇＴｒｉｐ検出部４と、一般電話機Ｉ／Ｆ５と、２線−４線変換部６と、受話側アンプ７ａおよび送話側アンプ７ｂと、通話制御部８とを具備する。
【００２６】
一般電話機インターフェース回路は、一般電話機Ｉ／Ｆ５を介して一般電話機と接続されている。一般電話機Ｉ／Ｆ５はさらに、ＬＯＯＰ検出部２と、Ｒｉｎｇ信号発生部３と、ＲｉｎｇＴｒｉｐ検出部４と、２線−４線変換部６とに接続されている。ＬＯＯＰ検出部２はさらに、給電部１に接続されている。２線−４線変換部６はさらに、受話側アンプ７ａおよび送話側アンプ７ｂを介して通話制御部８に接続されている。
【００２７】
インピーダンス変換部を持たない従来のＶｏＩＰ対応装置では、一般電話機から入力される音声信号を伝達するＴｉｐ−Ｒｉｎｇライン上にＡＭ波のラジオノイズが混入する。ＡＭ波のラジオノイズはそのまま、一般電話機インターフェースを介して２線−４線変化部６や送話側アンプ７ｂにまで伝達されてしまう。その結果、ユーザーからの音声信号は、通信制御部８においてＡＭ波のラジオノイズが混入された状態で音声信号の制御が行なわれて、ユーザーの通話先に送信されてしまう。
【００２８】
そこで、インピーダンス変換部を設けて、ここで設定されるインピーダンスを制御変換するすることによって、ユーザーが受信してしまうＡＭ波ノイズの特定の周波数をを避けることが可能となる。
具体的には、一般電話機インターフェース５と、ＬＯＯＰ検出部２、Ｒｉｎｇ信号発生部３、ＲｉｎｇＴｒｉｐ検出部４および２線−４線変換部６との間に、インピーダンス変換部を設ける。さらに、インピーダンス変換部に接続された制御部を設ける。
【００２９】
次に、上記従来のＶｏＩＰ対応装置にインピーダンス変換部を設けた、本発明による一般電話機インターフェース回路の構造について説明する。
図３は、本実施形態によるＡＭ波ノイズ対策方法が用いられる、一般電話機インターフェース回路のブロック図である。
一般電話機インターフェース回路は、給電部１と、ＬＯＯＰ検出部２と、Ｒｉｎｇ信号発生部３と、ＲｉｎｇＴｒｉｐ検出部４と、一般電話機Ｉ／Ｆ５と、２線−４線変換部６と、受話側アンプ７ａおよび送話側アンプ７ｂと、通話制御部８と、インピーダンス変換部９と、制御部１０とを具備する。
【００３０】
一般電話機インターフェース回路は、一般電話機Ｉ／Ｆ５を介して一般電話機と接続されている。一般電話機Ｉ／Ｆ５はさらに、インピーダンス変換部を介して、ＬＯＯＰ検出部２と、Ｒｉｎｇ信号発生部３と、ＲｉｎｇＴｒｉｐ検出部４と、２線−４線変換部６とに接続されている。ＬＯＯＰ検出部２はさらに、給電部１に接続されている。２線−４線変換部６はさらに、受話側アンプ７ａおよび送話側アンプ７ｂを介して通話制御部８に接続されている。インピーダンス変換部９はさらに、制御部１０に接続されている。
【００３１】
給電部１は、一般電話機に電力を供給する。ＬＯＯＰ検出部２は、一般電話機インターフェース回路に接続された一般電話機のループ解放または閉結状態を検出する。Ｒｉｎｇ信号発生部３は、一般電話機に着信音を鳴動させる為のＲｉｎｇ信号を発生する。ＲｉｎｇＴｒｉｐ検出部４は、一般電話機が着信中の場合のループ解放または閉結状態を検出する。一般電話機Ｉ／Ｆ５は、一般電話機が接続される為のコネクタ等である。２線−４線変換部６は、一般電話機からまたは一般電話機への音声信号のＴｉｐ−Ｒｉｎｇの２線式信号と、送話音声信号〜ＧＮＤと受話音声信号〜ＧＮＤとからなるの４線式信号とを、相互に変換する。受話側アンプ７ａは、受話音声のゲインを調節する。送話側アンプ７ｂは、送話音声のゲインを調節する。通話制御部８は、送受話の音声信号と通信ネットワークとの制御を行なう。インピーダンス変換部９は、Ｔｉｐ−Ｒｉｎｇラインの、すなわち一般電話機から見た一般電話機インターフェース回路の、インピーダンスを変換可能とする。制御部１０は、インピーダンス変換部９を制御してそのインピーダンスを変更する。ここで、インピーダンス変換部９は実質的には特定の周波数の伝達を抑制するバンドエリミネーションフィルタに他ならない。したがって、制御部１０がインピーダンス変換部９のインピーダンスを変更制御することで、伝達が抑制される周波数を変更制御している。
【００３２】
図４は、インピーダンス変換部９の詳細ブロック図である。
インピーダンス変換部は、インダクタンスＬと、ｘ個の容量Ｃ１〜Ｃｘと、同じくｘ個のリレーＲＬ１〜ＲＬｘとを具備する。
【００３３】
ｘ個のリレーＲＬ１〜ＲＬｘは、それぞれ３つの端子を持っている。すなわち、第１と第２の端子の間の通電状態を第３の端子が制御している。ｘ個のリレーＲＬ１〜ＲＬｘはそれぞれ、１つ目の端子がｘ個の容量Ｃ１〜Ｃｘのそれぞれの一方の端子に接続されている。ｘ個の容量Ｃ１〜Ｃｘのそれぞれのもう一方の端子は、全てインダクタンスＬの一方の端子に接続されている。インダクタンスＬのもう一方の端子には、ｘ個のリレーＲＬ１〜ＲＬｘのそれぞれの２つ目の端子全てが接続されている。したがって、例えば、ｘ個のリレーＲＬ１〜ＲＬｘが全て通電状態であれば、ｘ個の容量Ｃ１〜ＣｘとインダクタンスＬとの全てが並列に接続されることになる。ｘ個のリレーＲＬ１〜ＲＬｘの３つ目の端子はそれぞれ、図示されない制御部１０に接続されている。インダクタンスＬの両端子はそれぞれ、２線−４線変換部６と一般電話機Ｉ／Ｆ５とに接続されている。
【００３４】
制御部１０は、ｘ個のリレーＲＬ１〜ＲＬｘのそれぞれの通電状態を制御することで、並列に接続されたｘ個の容量Ｃ１〜Ｃｘに擬似的な１つの可変容量として動作させる。具体的には、制御部１０は、１度にｘ個のリレーＲＬ１〜ＲＬｘの中から１つだけを通電状態にし、その他は絶縁状態にする。ここで、ｘ個の容量Ｃ１〜Ｃｘがお互いに異なる値の容量とすることで、インピーダンス変換部９のインピーダンスはｘ種類の値を取り得る。ｘ個の容量Ｃ１〜Ｃｘのそれぞれの値は、当然ながら、考えられるＡＭ波ノイズの周波数に対応するように設計されることが望ましい。
なお、以上はあくまでも一例であって、他にも、同時に複数のリレーを通電状態にして、それぞれのリレーに対応する各容量の総和が用いられても構わない。
【００３５】
図５は、インピーダンス変換部６の最も簡単な詳細ブロック図である。インピーダンス変換部６は、インダクタンスＬとトリマコンデンサＴＣ１とを含む。このトリマコンデンサＴＣ１には、図４におけるｘ個の容量Ｃ１〜Ｃｘとｘ個のリレーＲＬ１〜ＲＬｘとからなる構成が擬似的に相当する。
【００３６】
インダクタンスＬとトリマコンデンサＴＣ１とは、並列に接続されており、両端はそれぞれ、一般電話機Ｉ／Ｆ５と一般電話機Ｉ／Ｆ５とに接続されている。
【００３７】
トリマコンデンサＴＣ１の容量が変化させられることによって、さらに簡略化された方式によって、特定の周波数のＡＭ波のラジオノイズの重畳を避けることが出来る。
【００３８】
（第２の実施形態）
図６は、本実施形態によるＡＭ波ノイズ対策方法が用いられる、局線インターフェース回路のブロック図である。
局線インターフェース回路は、Ｒｉｎｇ信号発生部３と、２線−４線変換部６と、受話側アンプ７ａおよび送話側アンプ７ｂと、通話制御部８と、インピーダンス変換部９と、制御部１０と、ＬＯＯＰ閉結部１１と、局線Ｉ／Ｆ１２とを具備する。
【００３９】
一般電話機インターフェース回路は、一般電話機Ｉ／Ｆ５を介して局線と接続されている。ここで、局線と一般電話機Ｉ／Ｆ５との接続は、両者の間にインピーダンス変換部９を介している。インピーダンス変換部９はさらに、制御部１０に接続されている。一般電話機Ｉ／Ｆ５はさらに、ＬＯＯＰ閉結部１１と、Ｒｉｎｇ信号検出部１３と、２線−４線変換部６とに接続されている。２線−４線変換部６はさらに、受話側アンプ７ａおよび送話側アンプ７ｂを介して通話制御部８に接続されている。
【００４０】
インピーダンス変換部９については、厳密には接続位置に差はあるものの、その構成要素も、Ｔｉｐ−Ｒｉｎｇライン１４間のインピーダンスを変換する動作も、第１の実施形態と同じであるので、説明を省略する。２線−４線変換部６と、受話側アンプ７ａと、送話側アンプ７ｂと、通話制御部８と、制御部１０についても同じくその説明を省略する。ＬＯＯＰ閉結部１１は、局線のループを閉結する。Ｒｉｎｇ信号検出部１３は、Ｒｉｎｇ信号を検出する。
【００４１】
（その他の実施形態）
第１の実施形態における一般電話機インターフェース回路や、第２の実施形他における局線インターフェース回路に限らず、電話機やＰＳＴＮ（Ｐｕｂｌｉｃ  Ｓｗｉｔｃｈｅｄ  Ｔｅｌｅｐｈｏｎｅ  Ｎｅｔｗｏｒｋ：公衆電話交換回路網）に接続されるあらゆる機器にも、インピーダンス変換部９および制御部１０は追加可能である。例えば、局線のモジュラージャックに直接接続される電話機にインピーダンス変換部９および制御部１０が使用されても良い。
【図面の簡単な説明】
【００４２】
【図１】図１は、一般的なＡＭラジオの回路図である。
【図２】図２は、インピーダンス変換部を持たない従来の一般電話機インターフェース回路のブロック図である。
【図３】図３は、第１の実施形態における一般電話機インターフェース回路のブロック図である。
【図４】図４は、本発明によるインピーダンス変換部９の詳細ブロック図である。
【図５】図５は、本発明によるインピーダンス変換部９の最も簡単な詳細ブロック図である。
【図６】図６は、第２の実施形態における局線インターフェース回路のブロック図である。
【符号の説明】
【００４３】
１    給電部
２    ＬＯＯＰ検出部
３    Ｒｉｎｇ信号発生部
４    ＲｉｎｇＴｒｉｐ検出部
５    一般電話機Ｉ／Ｆ
６    ２線−４線変換部
７ａ  送話側アンプ
７ｂ  受話側アンプ
８    通話制御部
９    インピーダンス変換部
１０    制御部
１１    ＬＯＯＰ閉結部
１２    局線Ｉ／Ｆ
１３    Ｒｉｎｇ信号検出部
１４    Ｔｉｐ−Ｒｉｎｇライン
【図１】
2008236554.tif 000003
【図２】
2008236554.tif 000004
【図３】
2008236554.tif 000005
【図４】
2008236554.tif 000006
【図５】
2008236554.tif 000007
【図６】
2008236554.tif 000008